(57)【要約】【課題】所望の接着面積が得られ、シリンドリカルレンズの接着面に有する接着領域全体に接着剤が塗れ広がり、接着強さ不足による剥がれやレンズ面への回り込みによる光学特性の低下を防止できる光学素子の固定方法、及びそれを利用した光走査装置並びに画像形成装置を提供する。【解決手段】シリンドリカルレンズ４を第１筐体１４に接着剤２１で接着固定する光学素子の固定方法であって、細隙溝３５が形成されたシリンドリカルレンズ４を接着座面２０に接着固定する。【選択図】図１
2010066297.tif 000002
【特許請求の範囲】
【請求項１】
光学素子を固定部材に接着剤で接着固定する光学素子の固定方法であって、
細隙溝が形成された光学素子を接着座面に接着固定することを特徴とする光学素子の固定方法。
【請求項２】
前記細隙溝は、前記光学素子の接着面の長手方向に形成されていることを特徴とする請求項１記載の光学素子の固定方法。
【請求項３】
前記細隙溝は、前記接着面の長手方向の稜線に対して平行に形成されていることを特徴とする請求項２記載の光学素子の固定方法。
【請求項４】
前記接着剤は紫外線硬化型接着剤であることを特徴とする請求項１から３のいずれか１項記載の光学素子の固定方法。
【請求項５】
請求項１から４のいずれか１項記載の光学素子の固定方法によって接着固定された光学素子を備えることを特徴とする光走査装置。
【請求項６】
請求項５記載の光走査装置を搭載した画像形成装置。
【発明の詳細な説明】
【技術分野】
【０００１】
本発明は、デジタル複写機やレーザプリンタ等において使用される光学素子の接着固定方法に関する。
【背景技術】
【０００２】
光走査装置は、デジタル複写装置やレーザプリンタなどに広く用いられている。
【０００３】
光走査装置に用いられる光学素子を、所定の位置に固定することに関する技術としては、特許文献１に開示される「光源装置」がある。特許文献１に記載の発明は、コリメータレンズを外周の複数の部位で保持部材と接着固定することにより、コリメータレンズの接着強度の向上を図っている。
【０００４】
光走査装置の品質劣化には、光学素子の取り付け誤差、形状誤差などに代表される機械的劣化と、装置の温度変化による温度特性的劣化とがある。
【０００５】
機械的劣化に関しては、光学素子を調整しながら取り付けるなど、組立時に劣化分を吸収する手法が広く用いられており、それに関する調整方法など多数の提案がなされている。
【０００６】
調整を行うにあたっては、組立のどの時点で調整を行うか、どの光学素子から調整するかという問題があり、その設定によっては調整可能範囲と組立方法との展開性が変わってくる。
【０００７】
したがって、調整方式や調整順序をどのように選択するかは、光学系の設計と同様に重要である。
【０００８】
特許文献２には、走査線の品質向上を目的とし、走査レンズ（ｆθレンズ）とシリンドリカルレンズとを接着剤を塗布した状態で位置調整し、調整後に紫外線を照射して固定する光走査装置の調整方法が開示されている。
【０００９】
また、接着位置近傍に接着剤溜まり部を設けることにより過剰な接着剤が光学素子の有効面に付着することを防止して、接着前後の精度変化の抑制や光学性能の劣化防止を図ることも開示されている。
【特許文献１】特開２００４−１５８５８６号公報
【特許文献２】特開平７−２３４３７０号公報
【発明の開示】
【発明が解決しようとする課題】
【００１０】
しかしながら、筐体に有する接着座面中央部１ヶ所に接着剤を塗布すると、シリンドリカルレンズの接着面に有する接着領域全体に接着剤が塗れ広がらなく、所望の接着面積が得られない不具合が生じて接着強さの不足により剥がれる恐れがある。
【００１１】
また、筐体に有する接着座面中央の複数ヶ所に接着剤を塗布すると、シリンドリカルレンズの接着面に有する接着領域以外に接着剤が濡れ広がってしまい、レンズ面に回り込むなどの不具合が生じて光学特性を低下させてしまう恐れがある。
【００１２】
本発明は係る問題に鑑みてなされたものであり、接着剤吐出器などの装置や製造工程を複雑にしたり、コストをむやみに高騰させることなく所望の接着面積が得られ、シリンドリカルレンズの接着面に有する接着領域全体に接着剤が塗れ広がり、接着強さ不足による剥がれやレンズ面への回り込みによる光学特性の低下を防止できる光学素子の固定方法、及びそれを利用した光走査装置並びに画像形成装置を提供することを目的とする。
【課題を解決するための手段】
【００１３】
上記目的を達成するため、本発明は、第１の態様として、光学素子を固定部材に接着剤で接着固定する光学素子の固定方法であって、細隙溝が形成された光学素子を接着座面に接着固定する光学素子の固定方法を提供するものである。
【００１４】
また、上記目的を達成するため、本発明は、第２の態様として、上記本発明の第１の態様に係る光学素子の固定方法によって接着固定された光学素子を備えることを特徴とする光走査装置を提供するものである。
【００１５】
また、上記目的を達成するため、本発明は、第３の態様として、上記本発明の第２の態様に係る光走査装置を搭載した画像形成装置を提供するものである。
【発明の効果】
【００１６】
本発明によれば、所望の接着面積が得られ、シリンドリカルレンズの接着面に有する接着領域全体に接着剤が塗れ広がり、接着強さ不足による剥がれやレンズ面への回り込みによる光学特性の低下を防止できる光学素子の固定方法、及びそれを利用した光走査装置並びに画像形成装置を提供できる。
【発明を実施するための最良の形態】
【００１７】
図１に、本実施形態に係る筐体を示す。筐体は、光源１、カップリングレンズ２、アパーチャ３、シリンドリカルレンズ４、光偏向器５、及び走査レンズ６を保持する第１筐体１４と、導光用光学素子である折り曲げミラー７を保持する第２筐体１５の二つの筐体で構成される。
【００１８】
調整時には、第１筐体１４のみを用い、調整用光束１６を測定することによってカップリングレンズ２、シリンドリカルレンズ４及び走査レンズ６の主走査平面の位置と姿勢とを調整し、接着剤２１を用いて接着する。接着剤２１は、アクリル系の紫外線硬化型接着剤であり、例えば電気化学工業社製のUVSERIES PC-2を適用可能である。
【００１９】
調整方法としては、特開２００７−２４９００２号公報に開示されているような公知の方法を適用可能であるため、詳細な説明は省略する。
【００２０】
以下では、シリンドリカルレンズ４を固定する場合を例として説明するが、他の光学素子を固定する場合でも同様である。
【００２１】
図２に示すように、シリンドリカルレンズ４は、プラスチックやガラスなどで形成され、略かまぼこ形状をしており、ビーム光３０の入射側に屈折力を持たない入射面３１、出射側に曲率を持たせた出射面３２を有し、ビーム光の主出射方向に平行で下側の面に接着面３３を有している。
【００２２】
接着面３３は、中央部に接着領域３４を有し、接着領域３４内にヘアライン状の細かい溝である細隙溝３５が形成されている。細隙溝３５は、接着領域３４の長手方向の稜線３４ａに対して平行に形成されており、所望の接着面積となっている。一例を挙げると、細隙溝３５は、深さ０．３ｍｍ、幅０．１ｍｍ程度で数十本形成することが好ましい。
【００２３】
図３（ａ）に示すように、第１筐体１４に有する接着座面２０の中央部１ヶ所に接着剤を塗布すると、図３（ｂ）に示すように、シリンドリカルレンズ４の接着面３３に有する接着領域３４全体に接着剤２１が濡れ広がらず、所望の接着面積が得られない。
【００２４】
また、所望の接着面積を得るために多量の接着剤を塗布する場合、図４（ａ）に示すように、第１筐体１４に有する接着座面２０の中央部複数ヶ所に接着剤２１を塗布すると、図４（ｂ）に示すように、シリンドリカルレンズ４の接着面３３に有する接着領域３４以外に接着剤２１が濡れ広がってしまい、入射面３１や出射面３２に回り込むなどの不具合が生じてしまう。
【００２５】
そこで、図５に示すように、接着剤吐出器２２を用いて、第１筐体１４に有する接着座面２０の中央部１ヶ所に接着剤２１を塗布し、その上にシリンドリカルレンズ４を載せることで、図６に示すように接着領域３４と接着剤２１とが当接し、接着領域３４内に形成されている細隙溝３５に沿って、接着剤２１は矢印に示す方向に進み、接着領域３４に濡れ広がり、所望する接着面積を得ることができる。
【００２６】
さらに、接着剤２１の塗布量が多い場合においても、図７（ａ）、（ｂ）に示すように、接着領域３４内に形成されている細隙溝３５に沿って、接着剤２１はシリンドリカルレンズ４の長手方向両端部に有する側壁面４ａ側に濡れ広がることにより、入射面３１や出射面３２への回り込みを防止できる。
【００２７】
また、接着剤２１の塗布量が少ない場合においても、図８（ａ）、（ｂ）に示すように、接着領域３４内に形成されている細隙溝３５に沿って、接着剤２１はシリンドリカルレンズ４の長手方向両端部に有する側壁面４ａ側に進み、接着領域３４に濡れ広がり、所望する接着面積が得られる。
【００２８】
このように本実施形態に係る光学素子の固定方法は、シリンドリカルレンズ等の光学素子に設けられた接着領域全体に接着剤が塗れ広がるため、所望する接着面積が得られることにより、接着剤硬化後に強靱な接着強度が得られる。
さらに、使用環境の温度変化によって接着剤の塗布量にばらつきが生じても、接着領域に形成した細隙溝に沿って接着領域全体に接着剤が塗れ広がるため、所望の接着面積が得られ、接着剤硬化後に強靱な接着強度が得られる。
【００２９】
このようにして光学素子を固定することにより、光学特性を安定させることができるため、高精度な光走査装置を提供することが可能となる。また、このような光走査装置を画像形成装置に搭載することにより、高画質な画像を得ることが可能となる。
【００３０】
なお、上記実施形態は本発明の好適な実施の一例であり、本発明はこれに限定されることはない。例えば、上記実施形態においては紫外線硬化型接着剤を用いる場合を例として説明したが、電子線硬化型接着剤や熱硬化型接着剤を用いて光学素子を第１筐体１４に接着固定しても良い。
このように、本発明は様々な変形が可能である。
【図面の簡単な説明】
【００３１】
【図１】本発明の好適な実施の形態に係る光走査装置の構成を示すずである。
【図２】シリンドリカルレンズの構成を示す図である。
【図３】従来の光学素子の固定方法を示す図である。
【図４】従来の光学素子の固定方法を示す図である。
【図５】接着座面の中央部に塗布した接着剤がシリンドリカルレンズによって押し広げられる状態を示す図である。
【図６】細隙溝に沿って接着剤が広がる様子を示す図である。
【図７】接着剤の塗布量が多い場合に、側壁面側に濡れ広がって入射面や出射面への回り込みが防止される状態を示す図である。
【図８】接着剤の塗布量が少ない場合に、側壁面側に濡れ広がって接着面積が確保される状態を示す図である。
【符号の説明】
【００３２】
１    光源
２    カップリングレンズ
３    アパーチャ
４    シリンドリカルレンズ
４ａ    側壁面
５    光偏向器
６    走査レンズ
７    折り曲げミラー
１４    第１筐体
１５    第２筐体
２０    接着座面
２１    接着剤
３０    ビーム光
３１    入射面
３２    出射面
３３    接着面
３４    接着領域
３４ａ    接着領域の稜線
３５    細隙溝 
【図１】
2010066297.tif 000003
【図２】
2010066297.tif 000004
【図３】
2010066297.tif 000005
【図４】
2010066297.tif 000006
【図５】
2010066297.tif 000007
【図６】
2010066297.tif 000008
【図７】
2010066297.tif 000009
【図８】
2010066297.tif 000010